(57)【要約】【課題】画像データに関する注文、特に、画像データなどを記録媒体に書き込む注文に際して、注文処理時間を確認することができる注文処理装置及び注文処理方法の提供。【解決手段】デジタルカメラやメディアから画像データを読み取る読み取り手段１３と、読み取った画像データ又は選択された画像データに対する注文処理時間を算出する注文処理時間算出手段１４と、算出した注文処理時間をユーザに確認させる画面や読み取った画像データの中から所望の画像データを選択させる画面などを表示手段３に表示させる表示制御手段１５と、注文処理時間が承認された場合に少なくとも注文を特定する情報と注文処理時間とが記録されたレシートをレシートプリンタ７に印刷させる印刷制御手段１６と、を少なくとも備え、注文前及び注文後に注文処理時間を確認可能にすることにより待ち時間を有効に利用できるようにする。【選択図】図３
2007004511.tif 000002
【特許請求の範囲】
【請求項１】
画像データを読み取る読み取り手段と、
読み取った画像データ又は読み取った画像データの中から選択された画像データに対する注文の処理に要する注文処理時間を算出する注文処理時間算出手段と、
算出した前記注文処理時間を表示手段に表示させる表示制御手段と、
表示された前記注文処理時間が承認された場合に、少なくとも前記注文を特定する情報と前記注文処理時間とが記録されたレシートを印刷手段に印刷させる印刷制御手段と、を少なくとも備えることを特徴とする注文処理装置。
【請求項２】
前記注文処理時間とは、少なくとも前記画像データを記録媒体に書き込むために要する時間、又は、前記画像データに基づいて特定の形式のデータを生成し、少なくとも前記画像データと前記特定の形式のデータとを記録媒体に書き込むために要する時間であることを特徴とする請求項１記載の注文処理装置。
【請求項３】
前記特定の形式とは、Ｖｉｄｅｏ−ＣＤ形式、ＤＶＤ−Ｖｉｄｅｏ形式又はＨＤＴＶ形式のいずれかであることを特徴とする請求項２記載の注文処理装置。
【請求項４】
画像データを読み取るステップと、
読み取った画像データの中から所定の画像データを選択させるための画像選択画面を表示手段に表示させるステップと、
前記画像選択画面で選択された画像データに対する注文の処理に要する注文処理時間を算出するステップと、
算出した前記注文処理時間を表示手段に表示させるステップと、
表示された前記注文処理時間が承認された場合に、少なくとも前記注文を特定する情報と前記注文処理時間とが記録されたレシートを印刷手段に印刷させるステップと、を少なくとも有することを特徴とする注文処理方法。
【請求項５】
画像データを読み取るステップと、
読み取った画像データに対する注文の処理に要する注文処理時間を算出する第１の算出ステップと、
前記第１の算出ステップで算出した前記注文処理時間を表示手段に表示させる第１の確認ステップと、
前記第１の確認ステップで前記注文処理時間が承認されない場合に、読み取った画像データの中から所定の画像データを選択させるための画像選択画面を表示手段に表示させるステップと、
選択された画像データに対する注文の処理に要する注文処理時間を算出する第２の算出ステップと、
前記第２の算出ステップで算出した前記注文処理時間を表示手段に表示させる第２の確認ステップと、
前記第１の確認ステップ又は前記第２の確認ステップで前記注文処理時間が承認された場合に、少なくとも前記注文を特定する情報と前記注文処理時間とが記録されたレシートを印刷手段に印刷させるステップと、を少なくとも有することを特徴とする注文処理方法。
【請求項６】
前記注文処理時間とは、少なくとも前記画像データを記録媒体に書き込むために要する時間、又は、前記画像データに基づいて特定の形式のデータを生成し、少なくとも前記画像データと前記特定の形式のデータとを記録媒体に書き込むために要する時間であることを特徴とする請求項４又は５に記載の注文処理方法。
【請求項７】
前記特定の形式とは、Ｖｉｄｅｏ−ＣＤ形式、ＤＶＤ−Ｖｉｄｅｏ形式又はＨＤＴＶ形式のいずれかであることを特徴とする請求項６記載の注文処理方法。
【発明の詳細な説明】
【技術分野】
【０００１】
本発明は、画像データに関する注文の処理を行う注文処理装置及び注文処理方法に関し、特に、画像データなどを記録媒体に記録する注文の処理を行う注文処理装置及び注文処理方法に関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた注文処理装置や無人端末（キオスク）などを操作することによって、デジタルカメラやメディアに記録された画像データをＣＤ−Ｒ、ＤＶＤ−Ｒなどの記録媒体に書き込むことができる（上記無人端末に関しては、例えば、下記特許文献１参照）。
【０００３】
また、デジタルカメラやメディアから読み取った画像データを単に記録媒体に記録するのではなく、これらの画像データをＤＶＤプレーヤやＤＶＤレコーダ、ＨＤＤレコーダ、ゲーム機などの家電機器で音楽付きスライドショーとして再生するためのデータ（以下、家電機器用データと呼ぶ。）を作成してＣＤ−ＲやＤＶＤ−Ｒなどの記録媒体に書き込むサービスも行われている。
【０００４】
【特許文献１】特開平１１−８８１７号公報（第３−４頁、第１図）
【発明の開示】
【発明が解決しようとする課題】
【０００５】
上記サービスを利用することにより、デジタルカメラやメディアから読み取った画像データや家電機器用データが記録された記録媒体をその場で入手することができるが、例えば、読み取った画像データの数量や容量が多い場合や、読み取った画像データから家電機器用データを生成する場合など、注文の内容によっては記録媒体の作成に要する時間（以下、注文処理時間と呼ぶ。）が長くなってしまう。
【０００６】
ここで、注文処理時間が予め分かっていれば、例え注文処理時間が長くても、その間に他の用事を行うこともできるため問題は生じないが、従来の注文処理システムでは、ユーザは事前に注文処理時間を知ることができないため、書き込みが終了するまでその場で待機しなければならず、時間を無駄に消費してしまうという問題があった。
【０００７】
本発明は、上記問題点に鑑みてなされたものであって、その主たる目的は、画像データに関する注文、特に、画像データなどを記録媒体に書き込む注文に際して、注文処理時間を確認することができる注文処理装置及び注文処理方法を提供することにある。
【課題を解決するための手段】
【０００８】
上記目的を達成するため、本発明の注文処理装置は、画像データを読み取る読み取り手段と、読み取った画像データ又は読み取った画像データの中から選択された画像データに対する注文の処理に要する注文処理時間を算出する注文処理時間算出手段と、算出した前記注文処理時間を表示手段に表示させる表示制御手段と、表示された前記注文処理時間が承認された場合に、少なくとも前記注文を特定する情報と前記注文処理時間とが記録されたレシートを印刷手段に印刷させる印刷制御手段と、を少なくとも備えるものである。
【０００９】
また、本発明の注文処理方法は、画像データを読み取るステップと、読み取った画像データの中から所定の画像データを選択させるための画像選択画面を表示手段に表示させるステップと、前記画像選択画面で選択された画像データに対する注文の処理に要する注文処理時間を算出するステップと、算出した前記注文処理時間を表示手段に表示させるステップと、表示された前記注文処理時間が承認された場合に、少なくとも前記注文を特定する情報と前記注文処理時間とが記録されたレシートを印刷手段に印刷させるステップと、を少なくとも有するものである。
【００１０】
また、本発明の注文処理方法は、画像データを読み取るステップと、読み取った画像データに対する注文の処理に要する注文処理時間を算出する第１の算出ステップと、前記第１の算出ステップで算出した前記注文処理時間を表示手段に表示させる第１の確認ステップと、前記第１の確認ステップで前記注文処理時間が承認されない場合に、読み取った画像データの中から所定の画像データを選択させるための画像選択画面を表示手段に表示させるステップと、選択された画像データに対する注文の処理に要する注文処理時間を算出する第２の算出ステップと、前記第２の算出ステップで算出した前記注文処理時間を表示手段に表示させる第２の確認ステップと、前記第１の確認ステップ又は前記第２の確認ステップで前記注文処理時間が承認された場合に、少なくとも前記注文を特定する情報と前記注文処理時間とが記録されたレシートを印刷手段に印刷させるステップと、を少なくとも有するものである。
【００１１】
本発明においては、前記注文処理時間とは、少なくとも前記画像データを記録媒体に書き込むために要する時間、又は、前記画像データに基づいて特定の形式のデータを生成し、少なくとも前記画像データと前記特定の形式のデータとを記録媒体に書き込むために要する時間とすることができる。
【００１２】
また、本発明においては、前記特定の形式とは、Ｖｉｄｅｏ−ＣＤ形式、ＤＶＤ−Ｖｉｄｅｏ形式又はＨＤＴＶ形式のいずれかであることが好ましい。
【００１３】
このように、本発明によれば、読み取った画像データ又はその中から選択された画像データに対する注文処理時間が算出されて表示手段に表示され、その注文処理時間を承認した場合に、少なくとも注文を特定する情報と注文処理時間とが記録されたレシートが印刷されるため、ユーザは注文前及び注文後に注文処理時間を確認することができ、待ち時間を有効に利用することができる。
【発明の効果】
【００１４】
本発明の注文処理システム及び注文処理方法によれば、画像データに関する注文、特に、画像データなどを記録媒体に書き込む注文に際して、待ち時間を有効に利用することができる。
【００１５】
その理由は、デジタルカメラやメディアから読み取った画像データ、又は、その中から選択した画像データに対して、画像データなどを記録媒体に書き込むための時間や家電機器用データを生成するための時間などの画像データに対する注文処理時間を算出し、その注文処理時間を表示手段に表示し、ユーザがその注文処理時間を承認した場合に、少なくとも注文を特定する情報と注文処理時間とが記録されたレシートが印刷されるため、ユーザは注文前及び注文後に注文処理時間を確認することができるからである。
【発明を実施するための最良の形態】
【００１６】
本発明の注文処理装置は、その好ましい一実施の形態において、デジタルカメラやメディアから画像データを読み取る読み取り手段と、読み取った画像データ又は選択された画像データに対する注文処理時間を算出する注文処理時間算出手段と、算出した注文処理時間をユーザに確認させるための注文処理時間確認画面や、読み取った画像データの中から所望の画像データを選択させるための画像選択画面などを表示手段に表示させる表示制御手段と、注文処理時間が承認された場合に、少なくとも注文を特定する情報と注文処理時間とが記録されたレシートを印刷手段に印刷させる印刷制御手段と、を少なくとも備えるものであり、注文前及び注文後に注文処理時間を確認可能にすることにより、待ち時間を有効に利用できるようにすることができる。
【実施例】
【００１７】
上記実施形態について詳細に説明すべく、本発明の一実施例に係る注文処理装置及び注文処理方法について、図１乃至図１１を参照して説明する。図１は、本実施例に係る注文処理システムの構成を模式的に示す図であり、図２は、注文処理装置の構成を示す図である。また、図３は、注文処理システムの手段を示すブロック図であり、図４及び図５は、注文処理システムを用いた注文処理の手順を示すフローチャート図である。また、図６及び図７は、注文処理システムの表示手段に表示される画面構成例を示す図であり、図８は、注文処理システムで印刷されるレシートの構成例を示す図である。また、図９は、記録媒体におけるデータの記録構造を示す図、図１０は、記録媒体におけるデータの記録領域を示す図、図１１は、記録媒体（ＣＤ−Ｒ）の構造を模式的に示す図である。
【００１８】
図１に示すように、本実施例の注文処理システム１は、ミニラボなどの写真店やコンビニエンスストアなどの注文店などに設置され、記録媒体１２の作成や写真プリントの作成などの画像データに関する注文の処理を行う注文処理装置２及び注文を確認するためのレシート２１を印刷するレシートプリンタ７と、記録媒体１２の作成を行う記録装置１０などの出力装置とで構成され、これらはＬＡＮやＷＡＮ、ＶＡＮなどの通信ネットワークを介して接続されている。
【００１９】
また、図１及び図３に示すように、本実施例の注文処理装置２は、スマートメディア、コンパクトフラッシュ（登録商標）、メモリースティック、ＳＤメモリーカード、マルチメディアカードなどのデジタルカメラ９用又はカメラ付き携帯電話機９ａ用のスティック型の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて、メディア８やデジタルカメラ９から画像データ（静止画像データ、動画データ、画像情報を含むデータを総称して画像データと呼ぶ。）を読み取る読み取り手段１３と、予め定められた方法を用いて、読み取った画像データやその中から選択した画像データに対する注文処理時間を算出する注文処理時間算出手段１４と、注文処理時間をユーザに確認させるための注文処理時間確認画面や、画像データをユーザに選択させるための画像選択画面などを表示手段３に表示させる表示制御手段１５と、少なくとも注文を特定する情報と算出した注文処理時間とが記録されたレシート２１をレシートプリンタ７などの印刷手段に印刷させる印刷制御手段１６と、画像データと注文内容を特定する情報とを含む注文情報を記録装置１０などの出力装置に送信する注文情報送信手段１７と、ＬＣＤ、ＣＲＴ等の表示手段３と、ボタン、キーボード、マウス等の操作手段６とを備えている。なお、上記各手段はハードウェアとして構成されていてもよいし、コンピュータを、少なくとも注文処理時間算出手段１４、表示制御手段１５及び印刷制御手段１６として機能させるプログラムとして構成し、該プログラムを注文処理装置２にインストールして実行する構成としてもよい。
【００２０】
また、本実施例の記録装置１０には、注文処理装置２から送信される注文情報を受信する注文情報受信手段１８と、必要に応じて、画像データに基づいて家電機器用データや縮小画像データなどを生成するデータ生成手段１９と、記録媒体装填部１１に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１２に画像データや家電機器用データなどを記録させる記録制御手段２０などを備えている。なお、図１では、注文処理装置２とレシートプリンタ７と記録装置１０とを別々の装置として記載しているが、例えば、図２に示すように、注文処理装置２とレシートプリンタ７と記録装置１０とが一体となったキオスク（無人端末）などとしてもよい。
【００２１】
上記構成の注文処理装置２を用いた注文処理の手順について、図４のフローチャート図を参照して説明する。なお、以下では、注文処理装置２とレシートプリンタ７と記録装置１０とが分離した図１の構成について示すが、注文処理装置２とレシートプリンタ７と記録装置１０とが一体となった図２の構成についても同様に適用することができる。
【００２２】
まず、ステップＳ１０１で、注文処理装置２のメディア装填部５にメディア８を装填、又は機器接続部６にデジタルカメラ９を接続すると、ステップＳ１０２で、読み取り手段１３は、メディア８やデジタルカメラ９などから画像データを読み取る。この画像データはデジタルカメラ９で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワークを介して接続されるサーバなどであってもよい。
【００２３】
次に、画像データの読み取りが終了すると、注文処理時間算出手段１４は、予め定められた方法を用いて、読み取った画像データに対する注文処理時間を算出する。この注文処理時間の算出方法としては、以下に示す方法などが挙げられる。
【００２４】
第１の方法は、読み取った画像データの数量に基づいて注文処理時間を算出する方法である。例えば、予め標準的な画素数の静止画像データや標準的な再生時間、画素数の動画データを記録媒体１２に記録するための所要時間を設定しておき、読み取った静止画像データの数量や読み取った動画データの数量を算出し、算出した数量に予め設定された所要時間を掛け合わせて注文処理時間を算出する。具体的に説明すると、標準的な画素数の静止画像データを記録媒体１２に記録するための所要時間が約１０秒であり、読み取った静止画像データの数量が１２０個であるとすると、注文処理時間は約２０分となる。
【００２５】
また、第２の方法は、読み取った画像データの容量に基づいて注文処理時間を算出する方法である。例えば、ヘッダ情報などを参照して読み取った静止画像データや動画データの総容量を算出し、記録媒体装填部１１の書き込み特性（書き込み速度や書き込み方式など）に基づいて注文処理時間を算出する。具体的に説明すると、所定の書き込み速度及び書き込み方式で１ＭＢのデータを記録媒体１２に記録するための所要時間が約１０秒であり、静止画像データ及び動画データの総容量が１２０ＭＢであるとすると、注文処理時間は約２０分となる。なお、書き込み速度としては、５２倍速、４８倍速、４０倍速、３２倍速、２４倍速、２０倍速、１６倍速などがあり、書き込み方式としては、書き込みを実行した後に書き込まれた画像データの読み出しが正常に行えるかをチェックする方式（ベリファイ）、書き込みを実行した後に書き込まれた画像データの読み出しが正常に行えるかをチェックし、更に書き込み元の画像データと書き込まれた画像データの内容の比較を行う方式（コンペア）などがある。
【００２６】
また、第３の方法は、読み取った画像データに基づいて家電機器用データを生成する場合の算出方法である。ここで、画像データから家電機器用データを生成するには、まず、読み取った静止画像データにスライド表示の時間分の差分０のデータを付加したり、スライド効果に基づく差分データを付加するなどして動画データ（例えば、ＭＰＥＧ１、２、４、７形式などの動画データ）を生成（エンコード）し、次に、生成した動画データ及び必要に応じて読み取った動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）する必要がある。
【００２７】
そこで、まず、読み取った静止画像データや動画データの数量を算出すると共に、ヘッダ情報などを参照して静止画像データや動画データの総容量を算出し、標準的なスライドショーの設定条件（解像度やスライド間隔、ＢＧＭの有無など）に基づいて、静止画像データの数量及び容量から動画データを生成するためのエンコード時間を算出し、続いて、エンコードした動画データ及び必要に応じて読み取った動画データの数量及び容量から所定の形式のデータに変換するためのオーサリング時間を算出する。そして、記録媒体装填部１１の書き込み特性（書き込み速度や書き込み方式など）に基づいて、読み取った画像データや生成した家電機器用データの書き込み時間を算出し、前述したエンコード時間とオーサリング時間と書き込み時間とを加算して注文処理時間を算出する。
【００２８】
なお、上述した方法で算出される注文処理時間は、実際の処理時間と完全に一致する必要はなく、多少の誤差を含んでいてもよい。また、上述した第１乃至第３の方法は例示であり、上記以外の他の方法を用いてもよい。また、上記説明では、注文処理装置２と記録装置１０間の画像データの転送時間や記録装置１０のＣＰＵの処理能力、画像データと共に書き込む他の情報（アプリケーションや縮小画像データなど）の書き込み時間は考慮していないが、より正確に注文処理時間を求める必要がある場合には、転送時間や処理能力、他の情報の書き込み時間などを考慮して注文処理時間を算出すればよい。
【００２９】
次に、注文処理時間の算出が終了したら、表示制御手段１５は、表示手段３に例えば図６（ａ）に示すような注文処理時間確認画面２２を表示させる。この注文処理時間確認画面２２には、上記ステップで算出した注文処理時間と、注文の続行又は注文内容の変更を指示するためのボタンが設けられており、ユーザは、ステップＳ１０４で、この注文処理時間を承認する場合はＯＫボタンを、この注文処理時間を承認しない場合には画像選択ボタンを押す。このように、本実施例の注文処理装置２では、注文処理時間確認画面２２に注文処理時間が表示されるため、ユーザは注文処理時間を考慮して注文の続行／変更を判断することができる。
【００３０】
次に、上記注文処理時間確認画面２２で画像選択ボタンを押した場合は、ステップＳ１０５で、表示制御手段１５は、表示手段３に例えば図７に示すような画像選択画面２３を表示させる。この画像選択画面２３には、読み取った画像データに基づく画像を一覧表示する一覧表示欄２４と、その中から選択した画像を拡大表示する拡大表示欄２５と、作業を選択する作業メニュー欄２６などが設けられており、ステップＳ１０６で、ユーザは一覧表示欄２４の中から所望の画像データを選択する。
【００３１】
次に、画像データの選択が終了したら、ステップＳ１０７で、注文処理時間算出手段１４は、静止画像データや動画データの数量に基づいて注文処理時間を算出する方法（第１の方法）や、静止画像データや動画データの容量に基づいて注文処理時間を算出する方法（第２の方法）、家電機器用データを生成する場合における注文処理時間の算出方法（第３の方法）などを用いて、選択した画像データに対して、再度、注文処理時間を算出する。
【００３２】
そして、表示制御手段１５は、表示手段３に例えば図６（ｂ）に示すような注文処理時間確認画面２２を表示させる。この注文処理時間確認画面２２には、ステップＳ１０６で選択した画像データの数量や容量と、ステップＳ１０７で算出した注文処理時間と、注文の続行又は注文内容の変更を指示するためのボタンが設けられており、ユーザは、ステップＳ１０８で、この注文処理時間を承認する場合はＯＫボタンを、この注文処理時間を承認しない場合は画像選択ボタンを押し、再度、画像選択ボタンが押下された場合は、ステップＳ１０６の画像選択に戻って同様の処理を繰り返す。
【００３３】
次に、ステップＳ１０４でＯＫボタンが押下、又は、ステップＳ１０８でＯＫボタンが押下された場合は、ステップＳ１０９で、読み取った画像データ又は選択した画像データを用いて記録媒体１２を作成する注文を確定し、ステップＳ１１０で、印刷制御手段１６はレシートプリンタ７にレシート２１を印刷させると共に、注文情報送信手段１７は記録装置１０に、読み取った画像データ又は選択した画像データと注文の内容（画像データのみを記録媒体１２に記録するのか、更に家電機器用データを生成して記録するのかなど）を特定する情報とを含む注文情報を送信する。
【００３４】
このレシート２１には、例えば、図８（ａ）に示すように、少なくとも、注文を特定する情報（注文番号など）と算出した注文処理時間とが記録され、ユーザはレシート２１に記録された注文処理時間を確認することにより、記録媒体１２の出来上がりをその場で待つか、他の用事を済ませるかなど、待ち時間を有効に利用することができる。なお、レシート２１は図８（ａ）の構成に限定されず、例えば、図８（ｂ）に示すように、注文の内容を示す情報（プリントのサイズや枚数、記録媒体１２の枚数など）や注文に利用する画像データの数量や容量などを記録してもよいし、図８（ｃ）に示すように、注文処理時間に代えて、又は注文処理時間に加えて、注文処理時間経過後の時刻、すなわち、記録媒体１２の仕上がり時刻を記録してもよい。
【００３５】
なお、上記フローでは、デジタルカメラ９又はメディア８から画像データを読み取った後、ステップＳ１０３で読み取った全ての画像データを対象として注文処理時間を算出し、ステップＳ１０４で算出した注文処理時間を表示してユーザに確認させたが、図５に示すように、上記ステップを省略して、デジタルカメラ９又はメディア８から画像データを読み取った後、ステップＳ２０３で、直ちに表示手段３に画像選択画面２３を表示して、ユーザに画像データを選択させるようにしてもよい。
【００３６】
次に、記録装置１０の処理について説明する。まず、ステップＳ１１１で、注文情報受信手段１８は、注文処理装置２から送信された注文情報（画像データ及び注文内容を特定する情報など）を受信する。
【００３７】
次に、家電機器用データを生成する場合は、ステップＳ１１２で、データ生成手段１９は、送信された静止画像データにスライド表示の時間分の差分０のデータを付加したり、スライド効果に基づく差分データを付加するなどして動画データを生成（エンコード）し、次に、生成した動画データ及び必要に応じて送信された動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して家電機器用データを生成する。また、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３８】
次に、ステップＳ１１３で、記録媒体装填部１１にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１２を装填する。この記録媒体１２として市販されている任意の記録媒体を用いることができるが、特定の記録媒体１２に対してのみデータの記録が行われるようにしてもよく、その場合は、ステップＳ１１４で、記録媒体１２の所定の領域に記録媒体１２を識別するための識別情報が記録されているかを調べ、識別情報が記録されている場合に特定の記録媒体１２と判断する。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３９】
ここで、一般的な記録媒体１２（ＣＤ−Ｒ）の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４０】
次に、記録制御手段２０を用いて記録媒体装填部１１に装填された記録媒体１２に各種データを記録するが、その際、家電機器ではデータを読み込むことができる記録領域が限定されるため、家電機器用データを記録する場合は、ステップＳ１１５で、ステップＳ１１２で生成した家電機器用データを記録媒体１２の論理アドレス領域の内周側に書き込み、必要に応じてセッションをクローズした後、ステップＳ１１６で、注文処理装置２から送信された画像データなどを記録媒体１２の先に記録した家電機器用データの外側に書き込んで一連の処理を終了する。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４１】
上記手順で作成された記録媒体１２には、図１０に示すように各種情報が記録され、ディスク型記録媒体１２の最も内側の論理アドレス領域外には識別情報が記録されており、その外側に位置する論理アドレス領域の内周側には必要に応じて家電機器用データが記録され、更にその外側の領域にはコンピュータ機器データが記録される。
【００４２】
また、上記手順で作成された記録媒体１２のディレクトリ構造は、例えば、図９に示すようになり、読み取った画像データや、必要に応じて、縮小画像データ、スライドショー再生プログラム、スライドショーの設定ファイル、記録媒体１２に関する各種情報が記述された情報ファイルなどでコンピュータ機器用データが構成され、Ｖｉｄｅｏ−ＣＤ形式のデータを生成した場合は図９（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００４３】
なお、画像データのディレクトリ構造は任意であるが、画像データをコンピュータ機器などにバックアップした場合における管理を容易にするために、例えば、図９に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４４】
このように、本実施例では、注文処理装置２で注文を受け付ける際に、読み取った画像データやその中から選択した画像データに対する注文処理時間を算出し、算出した注文処理時間を表示手段３に表示し、表示した注文処理時間が承認された場合に、少なくとも注文を特定する情報と注文処理時間とが記録されたレシート２１が印刷されるため、ユーザは注文処理時間を確認して注文を行うことができ、また、レシート２１で記録媒体１２の仕上がり時間を知ることができるため、待ち時間を有効に利用することができる。
【００４５】
なお、上記各実施例では、画像データなどを記録媒体１２に書き込む注文について記載したが、注文は画像データに関するものであればよく、例えば、記録媒体１２の作成と共に又は記録媒体１２の作成に代えて、画像データを用いて写真プリントを作成する場合は、写真プリントの作成に要する時間を加味して注文処理時間を算出して表示手段３に表示したり、レシート２１に印刷してもよい。
【００４６】
また、上記各実施例では、画像データに関する注文の処理に関して記載したが、本発明は上記実施例に限定されるものではなく、例えば、音楽データを記録媒体１２に書き込む場合などについても同様に適用することができる。
【図面の簡単な説明】
【００４７】
【図１】本発明の一実施例に係る注文処理システムの構成を模式的に示す図である。
【図２】本発明の一実施例に係る注文処理装置の構成を示す図である。
【図３】本発明の一実施例に係る注文処理システムの手段を示すブロック図である。
【図４】本発明の一実施例に係る注文処理システムを用いた処理の手順を示すフローチャート図である。
【図５】本発明の一実施例に係る注文処理システムを用いた処理の手順を示すフローチャート図である。
【図６】本発明の一実施例に係る注文処理装置の表示手段に表示される画面構成例（注文処理時間確認画面）を示す図である。
【図７】本発明の一実施例に係る注文処理装置の表示手段に表示される画面構成例（画像選択画面）を示す図である。
【図８】本発明の一実施例に係るレシートの構成例を示す図である。
【図９】本発明の一実施例に係る記録媒体におけるデータの記録構造を示す図である。
【図１０】本発明の一実施例に係る記録媒体におけるデータの記録領域を模式的に示す図である。
【図１１】記録媒体（ＣＤ−Ｒ）の構造を模式的に示す図である。
【符号の説明】
【００４８】
１  注文処理システム
２  注文処理装置
３  表示手段
４  操作手段
５  メディア装填部
６  機器接続部
７  レシートプリンタ
８  メディア
９  デジタルカメラ
９ａ  カメラ付き携帯電話機
１０  記録装置
１１  記録媒体装填部
１２  記録媒体
１３  読み取り手段
１４  注文処理時間算出手段
１５  表示制御手段
１６  印刷制御手段
１７  注文情報送信手段
１８  注文情報受信手段
１９  データ生成手段
２０  記録制御手段
２１  レシート
２２  注文処理時間確認画面
２３  画像選択画面
２４  一覧表示欄
２５  拡大表示欄
２６  作業メニュー欄
１００  ポリカーボネート基板
１０１  有機色素層
１０２  反射層
１０３  保護層
【図１】
2007004511.tif 000003
【図２】
2007004511.tif 000004
【図３】
2007004511.tif 000005
【図４】
2007004511.tif 000006
【図５】
2007004511.tif 000007
【図６】
2007004511.tif 000008
【図７】
2007004511.tif 000009
【図８】
2007004511.tif 000010
【図９】
2007004511.tif 000011
【図１０】
2007004511.tif 000012
【図１１】
2007004511.tif 000013